(57)【要約】【課題】固着対象物に対して釘打ち、タッカー止め等がしやすく、固着箇所での密着度が高い建築物用隙間防水シート材を提供する。【解決手段】交互に連続した凹凸条１１ａよりなる波形部１１を加工形成したシート基材１０ａに、凹凸条１１ａに直交する方向に沿って粘着剤層１４を形成した建築物用隙間防水シート材１０であって、波形部１１が凹凸条１１ａを断続して分離形成されており、その分離された波形部１１、１１間には、凹凸方向平滑部１２が形成されている。【選択図】図１
2010144358.tif 000002
【特許請求の範囲】
【請求項１】
交互に連続した凹凸条よりなる波形部を加工形成したシート基材に、該凹凸条に直交する方向に沿って粘着剤層を形成した建築物用隙間防水シート材であって、
上記波形部は、上記凹凸条を断続して分離形成されており、該分離された波形部間には、凹凸方向平滑部が形成されていることを特徴とする建築物用隙間防水シート材。
【請求項２】
請求項１において、
上記凹凸条を分断する、シート基材の凹凸直交方向に沿った凹凸直交方向平滑部がさらに形成されている建築物用隙間防水シート材。
【請求項３】
請求項１または２において、
上記凹凸方向平滑部は、略等間隔に形成されている建築物用隙間防水シート材。
【請求項４】
請求項１〜３のいずれか１項において、
上記凹凸方向平滑部の表面または裏面のすくなくとも一面に凹凸方向粘着剤層が形成されている建築物用隙間防水シート材。
【請求項５】
交互に連続した凹凸条よりなる波形部を加工形成したシート基材に、該凹凸条に直交する方向に沿って粘着剤層を形成した建築物用隙間防水シート材であって、
上記シート基材には、凹凸条を直交する方向に凹凸直交方向平滑部が形成されていることを特徴とする建築物用隙間防水シート材。
【請求項６】
請求項５において、
上記粘着剤層は、上記凹凸直交方向平滑部の表面または裏面のすくなくとも一面に形成されている建築物用隙間防水シート材。
【発明の詳細な説明】
【技術分野】
【０００１】
本発明は、家屋等の建築物の屋根や壁を施工する場合に、隙間を塞いで防水できるようにした建築物用隙間防水シート材に関する。
【背景技術】
【０００２】
従来の建築物用隙間防水シート材として、シート面を波打たせて凹凸条を形成したものが知られている（例えば、特許文献１を参照）。この凹凸条は通気性を保持するためのもので、シート材の幅方向の一端から他端までの凹凸条が全面に連続形成されている。
【０００３】
同文献のものは、蛇腹状に山形凹凸を形成してなる合成樹脂製のコア材のいずれか一方の面に、不織布等のフィルターを貼り付けてなるもので、フィルターによって強度が補完されている。しかし、強度がある代わりに柔軟性はあまりなく、同文献の図面にも記載されているように、折り曲げの必要性の低い平坦部での使用を想定しているものと考えられる。
【０００４】
また、アルミニウム等の可撓性を有した長尺状のシート基材に対して、その短手方向に凹凸条を形成し、シート基材の表面または裏面のいずれか一面に、粘着剤層を設けた防水シート材も知られている。このものは、フィルター層を有していないため、容易に凹凸部を伸ばして展開したり、凹凸方向に沿って折り曲げたりすることができ、それによって、瓦面などの湾曲面にも粘着剤層によって密着させることができる。さらに、凹凸に直交する方向に沿って凹凸を押しつぶして折曲条を設けたものでは、その折曲条に沿って容易に折り曲げできるので、平行壁の隅部などの立体的な箇所にも使用することができる。
【特許文献１】特開２００３−２７８２８５号公報
【発明の開示】
【発明が解決しようとする課題】
【０００５】
しかしながら、上記の防水シート材は凹凸条によって、やや厚みのある立体的な形状となっているため、防水シート材を固着対象物に対して密着させにくく、釘打ち、タッカー止めがしにくくなるという問題がある。なお、凹凸条を押しつぶしてなる折曲条の適所では釘打ち等は比較的しやすいが、折曲条が凹凸条に直交する方向に一直線状に形成されたものであるため、複数の折曲条を形成したものでなければ、凹凸方向における釘打ち箇所の自由度はない。
【０００６】
さらに、防水シート材に対して釘打ち等を等間隔でする場合にも、目安となるものはなく、施工に手間がかかるという問題もある。
【０００７】
また、従来のものでは、凹凸方向（長尺材料の短手方向）に沿った折り曲げは容易ではあるが、凹凸による膨らみがあるため、アール径の小さい湾曲面等では密着性を高めて貼り付けることは困難である。同様に、凹凸直交方向（長手方向）の折り曲げについても、折曲条近傍での密着性が低くなるものと予想される。
【０００８】
本発明は、このような事情を考慮して提案されたもので、その目的は、固着対象物に対して釘打ち、タッカー止め等がしやすく、固着箇所での密着度が高い建築物用隙間防水シート材を提供することにある。
【課題を解決するための手段】
【０００９】
上記目的を達成するために、請求項１に記載の建築物用隙間防水シート材は、交互に連続した凹凸条よりなる波形部を加工形成したシート基材に、凹凸条に直交する方向に沿って粘着剤層を形成した建築物用隙間防水シート材であって、波形部が凹凸条を断続して分離形成されており、その分離された波形部間には、凹凸方向平滑部が形成されていることを特徴としている。
【００１０】
請求項２に記載の建築物用隙間防水シート材は、凹凸条を分断する、シート基材の凹凸直交方向に沿った凹凸直交方向平滑部がさらに形成されている。
【００１１】
請求項３に記載の建築物用隙間防水シート材は、凹凸方向平滑部が略等間隔に形成されている。
【００１２】
請求項４に記載の建築物用隙間防水シート材は、粘着剤層が凹凸方向平滑部の表面または裏面のすくなくとも一面に形成されている。
【００１３】
請求項５に記載の建築物用隙間防水シート材は、交互に連続した凹凸条よりなる波形部を加工形成したシート基材に、凹凸条に直交する方向に沿って粘着剤層を形成した建築物用隙間防水シート材であって、シート基材には、凹凸条を直交する方向に凹凸直交方向平滑部が形成されていることを特徴としている。
【００１４】
請求項６に記載の建築物用隙間防水シート材は、粘着剤層が凹凸直交方向平滑部の表面または裏面のすくなくとも一面に形成されている。
【発明の効果】
【００１５】
請求項１に記載の建築物用隙間防水シート材によれば、凹凸条を断続して分離した波形部間に凹凸方向平滑部が形成されているため、釘打ち、タッカー止め等がしやすく、さらに、凹凸方向における釘打ち箇所を自由に選択できる。また、その平滑部を対象物の隅部や湾曲部にあてがえば、それらの箇所での密接度が高くなり、防水性効果はいちだんと高まる。
【００１６】
請求項２に記載の建築物用隙間防水シート材によれば、凹凸方向平滑部にくわえて、凹凸直交方向平滑部がさらに形成されているため、建築物の種々の形状の対象箇所に使用できる。
【００１７】
請求項３に記載の建築物用隙間防水シート材によれば、凹凸方向平滑部が略等間隔に形成されているので、平行壁等に対して長尺状のものを使用する場合に、釘打ち等を等間隔に行える。また、凹凸方向平滑部が釘打ち箇所の目安となるので、施工効率もよくなる。
【００１８】
請求項４に記載の建築物用隙間防水シート材によれば、凹凸方向平滑部にも粘着剤層が形成されているので、釘打ち、タッカー止めができない対象物への取り付けであっても容易に固定できる。
【００１９】
請求項５に記載の建築物用隙間防水シート材によれば、凹凸直交方向平滑部が形成されているため、釘打ち、タッカー止め等がしやすく、さらに、凹凸直交方向における釘打ち箇所を自由に選択できる。また、凹凸方向の一端に凹凸直交方向平滑部を設け、他端に粘着剤層を設けたものでは、釘打ち等ができる例えば桟木と、釘打ち等ができない例えば瓦とにまたがるように固着する場合に有効に利用できる。
【００２０】
請求項６に記載の建築物用隙間防水シート材によれば、粘着剤層が凹凸直交方向平滑部に形成されているので、対象物に対して粘着剤とタッカー等で二重に固定でき、確実な固着が行える。
【発明を実施するための最良の形態】
【００２１】
以下に、本発明の実施の形態について、添付図面を参照しながら説明する。
【００２２】
図１および図２は、本発明の建築物用隙間防水シート材の一実施形態を示す図であり、図１（ａ）は同建築物用隙間防水シート材（以下、防水シート材という。）の平面図、図１（ｂ）は同防水シート材の裏面図、図１（ｃ）は同防水シート材の凹凸直交方向（本例では長手方向）の概略断面図、図１（ｄ）は同防水シート材の凹凸方向（本例では短手方向）の概略断面図である。図２は、防水シート材の巻回状態を示した斜視図である。
【００２３】
この防水シート材１０は、表裏面を樹脂等でコーティングしたアルミニウム等の金属で製されたシート状の基材１０ａに、交互に連続する凹凸条１１ａを施し、さらに凹凸条１１ａに直交する方向に沿って粘着剤層１４を形成したものである。シート状であるため凹凸方向に沿って容易に折り曲げられ、図２のように長尺状のものを巻回した状態で保管、持ち運びされ、建築現場で施工の際に必要な長さを凹凸方向に切断して使用する。
【００２４】
防水シート材１０の表面には、複数の凹凸条１１ａよりなる波形部１１が形成されており、その波形部１１は等間隔に形成された凹凸方向平滑部１２によって凹凸条１１ａが断続されて、分離されている。また、凹凸方向のほぼ中央には、凹凸条１１ａを分断するようにシート基材１０ａの長手方向に沿って凹凸直交方向平滑部１３が形成されている。したがって、これら縦、横の平滑部によって波形部１１は、２段・多数列の桝目状に分離形成されている。
【００２５】
一方、防水シート材１０の裏面は、凹凸加工したものであるため、表面と同様に波形部１１、凹凸方向平滑部１２、凹凸直交方向平滑部１３が表れており、短手方向の一端にはブチルゴム系等による粘着剤層１４が形成されている。保管、持ち運び等の使用する前では、粘着剤層には保護テープ１４ａ（図２に図示）が貼られており、施工の際に保護テープを剥がして使用する。
【００２６】
この粘着剤層１４は、防水シート材１０を対象物に固着させる機能を有するとともに、防水機能も有しており、対象物に貼り付けた状態で、外部から防水シート材１０の裏面への雨水等の水の浸入を防止している。なお、粘着剤層１４はシート基材１０ａの両端に形成してもよく、また凹凸直交方向平滑部１３や凹凸方向平滑部１２に形成してもよく、用途に応じて種々の箇所に形成すればよい。
【００２７】
ついで、図３〜図５を参照しながら、本防水シート材１０の種々の使用例を説明する。
【００２８】
図３は、家屋の大棟部での防水シート材１０の使用例を示す図で、図３（ａ）は大棟部における防水シート材１０を貼り付けた状態を示す斜視図、（ｂ）は大棟部の概略縦断面図である。
【００２９】
大棟部では、防水シート材１０は、２枚の野地板２１が突き合わさる屋根の頂部に沿って配設される棟木２５を挟んで、その両端側に配される一方の瓦２２の端部から他方の瓦２２の端部にわたって棟木２５の長手方向に沿って貼り付けられる。防水シート材１０は、棟木２５の形状に沿って折り曲げて密接させるように配設すればよく、その両側端が両側の瓦２２、２２に対して固着されている。この場合、粘着剤層１４を幅方向両端に設けた防水シート材１０が好適に使用できる。また、２枚の防水シート材１０を棟木２５の上面で重ね合わせるようにして使用してもよい。
【００３０】
さらに、防水シート材１０を確実に固定させるために、本図例では、凹凸方向平滑部１２および凹凸直交方向平滑部１３の適所で、棟木２５に対してタッカーＴで固着している。凹凸方向平滑部１２および凹凸直交方向平滑部１３は、平滑シート状に形成されているため棟木２５に対する密接性がよく、タッカー止めがしやすい。また、凹凸方向平滑部１２はシート基材１０ａに対して等間隔に形成されているため、等間隔のタッカー止めを効率よく行える。
【００３１】
このように貼り付けた防水シート材１０の両瓦２２、２２の上方には、棟木２５の瓦２２との段差を埋めるべくスペーサ２８、２８が配設され、さらに両スペーサ２８、２８にまたがるように防水テープ２６が貼り付けられ、その上に棟瓦２７が被せられる。
【００３２】
こうして、大棟部で防水シート材１０を使用することで、瓦２２、２２と棟木２５との間にできる隙間空間Ｓは閉塞されて、隙間空間Ｓへの雨水の浸入を防止することができる。
【００３３】
なお、図３中の２３は瓦の端部を載せ置くための瓦桟であり、野地板２１の上に固着されている。また、２４は、棟木２５を下方より支持する支持金具であり、棟木２５の長手方向に沿って数個のものが、野地板２１に固定されている。
【００３４】
図４は、壁当り部での防水シート材１０の使用例を示す斜視図である。
【００３５】
この図例では、防水シート材１０は、屋根の頂部に配設した冠瓦３０と、その冠瓦３０の端部に対向する壁２９との間にできる隙間を塞ぐように、扇状に貼り付けられている。
【００３６】
防水シート材１０は、冠瓦３０に対しては、その形状に沿って湾曲されて密接され、壁２９に対しては、冠瓦３０の端部で凹凸直交方向平滑部１３に沿って折り曲げられ、扇状に凹凸条１１ａを展開させた状態で密接させるようにしている。この場合、すくなくとも冠瓦３０には粘着剤層１４によって接着させることが望ましい。
【００３７】
粘着剤層１４はブチルゴム系で製されているため、凹凸条１０ａが展開するにしたがって伸びるから、防水シート材１０を容易に変形でき、そのように変形させた状態でも接着できるが、壁２９への接着を確実にするために、図例のように、凹凸方向平滑部１２に凹凸方向粘着剤層１５を形成した防水シート材１０を使用することが望ましい。なお、図例では、両端に粘着剤層１４、１４を設け、各凹凸方向平滑部１２に凹凸方向粘着剤層１５を設けた防水シート材１０を使用している。
【００３８】
また、壁２９への冠瓦３０の端部の突合せ部の入り隅部分には、図例のように、防水シート材１０の凹凸直交方向平滑部１３を配すればよく、そうすることで防水シート材１０の折り曲げを容易にでき、壁２９や冠瓦３０への密接度も高まる。
【００３９】
このように壁当り部に貼り付けた防水シート材１０は、その上に仕上材（不図示）を配設することによって隠される。
【００４０】
図５は、平行壁部での防水シート材の使用例を示す斜視図である。
【００４１】
この図例では、頂部に配設した瓦２２と、その瓦２２の端部に対向する壁２９との間にできる隙間（不図示）を塞ぐように、防水シート材１０が貼り付けられている。なお、図中の２９ａは壁に開設された窓用の開口である。
【００４２】
防水シート材１０は、瓦２２に対しては、その形状に沿って湾曲されて密接され、平坦な壁２９に対して密接されるように、凹凸直交方向平滑部１３に沿って折り曲げられている。この場合、すくなくとも瓦２２には粘着剤層１４によって接着させることが望ましい。また、壁２９への接着を確実にするために、壁２９側の端部にも粘着剤層を形成した防水シート材を使用することが望ましい。
【００４３】
また、壁２９への瓦２２の端部の突合せ部の隅部には、防水シート材１０の凹凸直交方向平滑部１３を配すればよく、そうすれば折り曲げはしやすく、壁２９や瓦２２への密接度も高まる。
【００４４】
このように壁当り部に貼り付けた防水シート材１０は、その上に、瓦２２側では防水用の仕上材（不図示）を配設し、壁２９側では外壁（不図示）を形成することによって隠される。
【００４５】
以上のように、防水シート材１０は種々の対象物、対象箇所に貼り付けることで水の浸入を防止している。その他の適用箇所としては、軒先、隅棟、流れ壁、谷部等が挙げられる。このように、上記の実施形態では、入り隅、出隅部分等の折り曲げを必要とする箇所に適しているが、平坦部にも好適に使用できる。
【００４６】
例えば、防水シート材１０を平坦な建築物間の隙間にスペーサのように配設することも可能で、その場合には、粘着剤層を両面に形成した防水シート材を使用すればよい。
【００４７】
図６は、本発明の防水シート材の第２の実施形態を示す図で、図６（ａ）は同防水シート材の平面図、（ｂ）は凹凸方向の概略断面図である。
【００４８】
この防水シート材１０には、凹凸方向平滑部は形成されておらず、凹凸条１１ａを分断する凹凸直交方向平滑部１３が形成されており、その凹凸直交方向平滑部１３の裏面側には粘着剤層１４が形成されている。凹凸直交方向平滑部１３によって波形部１１は２つに分離され、幅広の波形部１１のほぼ中央には、凹凸直交方向に凹凸条１０ａを押しつぶしてなる折曲条１６が形成されている。
【００４９】
この折曲条１６では折り曲げが容易に行え、入り隅、出隅部分に配するのに適している。もちろん、この折曲条１６に代えて他の凹凸直交方向平滑部を設けてもよい。
【００５０】
この防水シート材１０によれば、凹凸直交方向平滑部１３に粘着剤層１４が形成されているので、凹凸直交方向平滑部１３に釘打ち等をすることで、対象物に対する防水シート材１０接着が強化される。
【００５１】
図７、図８は、本発明の防水シート材の種々の例を示す平面図である。なお、これらの図では粘着剤層については図示を省略している。また、図１と同一の構成については同一の符号を付して、その説明は省略している。
【００５２】
図７（ａ）は凹凸方向平滑部１２をシート基材１０ａの凹凸方向の端部から中央部まで形成したもの、図７（ｂ）は凹凸直交方向平滑部１３をシート基材１０ａの凹凸方向の両端部に形成するとともに、その間に凹凸方向平滑部１２を等間隔に形成したものである。
【００５３】
図８（ａ）はは凹凸直交方向平滑部１３をシート基材１０ａの凹凸方向の端部および中央部に形成したもの、図８（ｂ）は凹凸直交方向平滑部１３を２箇所に形成するとともに、そのうちの一方につながる複数の凹凸方向平滑部１２を等間隔に形成したものである。
【００５４】
これらの防水シート材１０はいずれも、凹凸直交方向に、凹凸直交方向平滑部１３あるいは凹凸条１０ａを形成した箇所に粘着剤層１４が形成されており、図７（ａ）、（ｂ）のものには、凹凸方向平滑部１２に凹凸方向粘着剤層１５が形成されている。
【００５５】
以上に示した全ての防水シート材１０は、凹凸条１０ａを直交する方向に設けた粘着剤層１４で対象物に固着できるようになっているが、防水性を必要とせず、材料間の隙間へのスペーサ材として使用する場合には、凹凸方向粘着剤層だけで固着できるようにした防水シート材を使用してもよい。
【図面の簡単な説明】
【００５６】
【図１】（ａ）は本発明の第１の実施形態として示した建築物用隙間防水シート材の平面図、（ｂ）は同裏面図、（ｃ）は凹凸直交方向の断面図、（ｄ）凹凸方向の断面図である。
【図２】同防水シート材の巻回状態を示す斜視図である。
【図３】同防水シート材の大棟部での使用例を示す図で、（ａ）は大棟部における防水シート材を貼り付けた状態を示す斜視図、（ｂ）は大棟部の概略縦断面図である。
【図４】同防水シート材の壁当り部での使用例を示す斜視図である。
【図５】同防水シート材の平行壁部での使用例を示す斜視図である。
【図６】（ａ）は本発明の第２の実施形態として示した建築物用隙間防水シート材の平面図、（ｂ）は凹凸直交方向の断面図である。
【図７】（ａ）、（ｂ）は本発明の建築物用隙間防水シート材の他例を示す平面図である。
【図８】（ａ）、（ｂ）は本発明の建築物用隙間防水シート材の他例を示す平面図である。
【符号の説明】
【００５７】
１０      建築物用隙間防水シート材
１０ａ      シート基材
１１      波形部
１１ａ      凹凸条
１２      凹凸方向平滑部
１３      凹凸直交方向平滑部
１４      粘着剤層
１５      凹凸方向粘着剤層
１６      折曲条
【図１】
2010144358.tif 000003
【図２】
2010144358.tif 000004
【図３】
2010144358.tif 000005
【図４】
2010144358.tif 000006
【図５】
2010144358.tif 000007
【図６】
2010144358.tif 000008
【図７】
2010144358.tif 000009
【図８】
2010144358.tif 000010
【手続補正書】
【提出日】平成20年12月17日(2008.12.17)
【手続補正１】
【補正対象書類名】図面
【補正対象項目名】図５
【補正方法】変更
【補正の内容】
【図５】
2010144358.tif 000011
【手続補正書】
【提出日】平成21年3月11日(2009.3.11)
【手続補正１】
【補正対象書類名】明細書
【補正対象項目名】００２３
【補正方法】変更
【補正の内容】
【００２３】
この防水シート材１０は、表裏面を樹脂等でコーティングしたアルミニウム等の金属で製されたシート状の基材（シート基材）１０ａに、交互に連続する凹凸条１１ａを施し、さらに凹凸条１１ａに直交する方向に沿って粘着剤層１４を形成したものである。シート状であるため凹凸方向に沿って容易に折り曲げられ、図２のように長尺状のものを巻回した状態で保管、持ち運びされ、建築現場で施工の際に必要な長さを凹凸方向に切断して使用する。
【手続補正２】
【補正対象書類名】明細書
【補正対象項目名】００２５
【補正方法】変更
【補正の内容】
【００２５】
一方、防水シート材１０の裏面は、凹凸加工したものであるため、表面と同様に波形部１１、凹凸方向平滑部１２、凹凸直交方向平滑部１３が表れており、短手方向の一端にはブチルゴム系等による粘着剤層１４が形成されている。保管、持ち運び等の使用する前では、粘着剤層１４には保護テープ１４ａ（図２に図示）が貼られており、施工の際に保護テープ１４ａを剥がして使用する。
【手続補正３】
【補正対象書類名】明細書
【補正対象項目名】００３７
【補正方法】変更
【補正の内容】
【００３７】
粘着剤層１４はブチルゴム系で製されているため、凹凸条１１ａが展開するにしたがって伸びるから、防水シート材１０を容易に変形でき、そのように変形させた状態でも接着できるが、壁２９への接着を確実にするために、図例のように、凹凸方向平滑部１２に凹凸方向粘着剤層１５を形成した防水シート材１０を使用することが望ましい。なお、図例では、両端に粘着剤層１４、１４を設け、各凹凸方向平滑部１２に凹凸方向粘着剤層１５を設けた防水シート材１０を使用している。
【手続補正４】
【補正対象書類名】明細書
【補正対象項目名】００５０
【補正方法】変更
【補正の内容】
【００５０】
この防水シート材１０によれば、凹凸直交方向平滑部１３に粘着剤層１４が形成されているので、凹凸直交方向平滑部１３に釘打ち等をすることで、対象物に対する防水シート材１０の接着が強化される。
【手続補正５】
【補正対象書類名】明細書
【補正対象項目名】００５４
【補正方法】変更
【補正の内容】
【００５４】
これらの防水シート材１０はいずれも、凹凸直交方向に、凹凸直交方向平滑部１３あるいは凹凸条１１ａを形成した箇所に粘着剤層１４が形成されており、図７（ａ）、（ｂ）のものには、凹凸方向平滑部１２に凹凸方向粘着剤層１５が形成されている。
【手続補正６】
【補正対象書類名】明細書
【補正対象項目名】００５５
【補正方法】変更
【補正の内容】
【００５５】
以上に示した全ての防水シート材１０は、凹凸条１１ａを直交する方向に設けた粘着剤層１４で対象物に固着できるようになっているが、防水性を必要とせず、材料間の隙間へのスペーサ材として使用する場合には、凹凸方向粘着剤層だけで固着できるようにした防水シート材を使用してもよい。
【手続補正７】
【補正対象書類名】明細書
【補正対象項目名】００５６
【補正方法】変更
【補正の内容】
【００５６】
【図１】（ａ）は本発明の第１の実施形態として示した建築物用隙間防水シート材の平面図、（ｂ）は同裏面図、（ｃ）は凹凸直交方向の断面図、（ｄ）凹凸方向の断面図である。
【図２】同防水シート材の巻回状態を示す斜視図である。
【図３】同防水シート材の大棟部での使用例を示す図で、（ａ）は大棟部における防水シート材を貼り付けた状態を示す斜視図、（ｂ）は大棟部の概略縦断面図である。
【図４】同防水シート材の壁当り部での使用例を示す斜視図である。
【図５】同防水シート材の平行壁部での使用例を示す斜視図である。
【図６】（ａ）は本発明の第２の実施形態として示した建築物用隙間防水シート材の平面図、（ｂ）は凹凸方向の概略断面図である。
【図７】（ａ）、（ｂ）は本発明の建築物用隙間防水シート材の他例を示す平面図である。
【図８】（ａ）、（ｂ）は本発明の建築物用隙間防水シート材の他例を示す平面図である。
【手続補正８】
【補正対象書類名】図面
【補正対象項目名】図１
【補正方法】変更
【補正の内容】
【図１】
2010144358.tif 000012